(57)【要約】【課題】その使用前後の形態がコンパクトであり、吸収性に優れ陰唇間に挟まれて装着された際には、横方向からの圧縮に対する回復性を有すると共に、装着安定性に優れ、その肌当接面側が露出することなく廃棄でき使用者の手や下着等を汚すおそれがない吸収性物品を提供すること。【解決手段】本発明の吸収性物品１は経血の吸収に用いられ、扁平で実質的に縦長に形成され陰唇間に挟んで使用され、長手方向の中央部は両端部よりも幅広であり、上層２と下層３とを主体として形成され、該上層２と該下層３とはそれらの周縁で接合されており、該上層２は、吸収性及び伸縮性を有しており、下層３は、上層２よりも剛性が大きく、その幅方向中央部で分離された一対の支持片３１ａ，３１ｂからなり、使用時には、上層２における下層３側の面及び下層３における上層２側の面が、陰唇に当接する立体的な形状に形成可能で、該形状が維持されるように形成されている。【選択図】図１
2008049003.tif 000002
【特許請求の範囲】
【請求項１】
扁平であり、陰唇間に挟んで使用される吸収性物品であって、
着用時における前後方向の中央部は両端部よりも幅広であり、
上層と下層とを主体として形成され、該上層と該下層とはそれらの周縁で接合されており、該上層は、吸収性及び伸縮性を有しており、前記下層は、前記上層よりも剛性が大きく、前記前後方向と直交する方向の中央部で分離された一対の支持片からなり、
前記吸収性物品は、使用時には、前記上層における前記下層側の面及び前記下層における前記上層側の面が、陰唇に当接する立体的な形状に形成可能で、該形状が維持されるように形成されている吸収性物品。
【請求項２】
前記上層と前記下層とは、それらの平面視した場合の面積が実質的に同じである請求項１記載の吸収性物品。
【請求項３】
一対の前記支持片それぞれに、摘み部が設けられている請求項１又は２に記載の吸収性物品。
【請求項４】
一対の前記摘み部それぞれは、前記支持片における前記前後方向と直交する方向の内方の端縁から延出して形成されており、他方と脱着自在に接着できる接着部が設けられており、
前記立体的な形状に形成された状態で、前記摘み部同士を脱着自在に接着し、非陰唇当接面側における前記前後方向の両側部間に、一対の前記摘み部が掛渡されるようになされている請求項３記載の吸収性物品。
【請求項５】
前記立体的な形状に形成された状態で、下着の内側に装着固定された生理用ナプキンと併用される請求項１〜４の何れかに記載の吸収性物品。
【請求項６】
前記立体的な形状に形成された状態で、前記吸収性物品の前記前後方向の両側縁から延出する一対のウイング部が設けられており、
一対の前記ウイング部の非肌当接面側に設けられた接着部により、前記生理用ナプキンの肌当接面側の面と脱着自在に接着されるようになされている請求項５記載の吸収性物品。
【請求項７】
一対の前記ウイング部は、一対の前記摘み部である請求項６記載の吸収性物品。
【請求項８】
前記立体的な形状に形成された状態で、前記吸収性物品における前記前後方向と直交する方向の圧縮弾性が、３〜１５０ｃＮ／ｃｍである請求項１〜７の何れかに記載の吸収性物品。
【請求項９】
前記上層は、前記下層の幅の少なくとも１．２倍の長さまで伸びる請求項１〜８の何れかに記載の吸収性物品。
【請求項１０】
長さが２０〜８０ｍｍであり、幅が１５〜５０ｍｍである請求項１〜９の何れかに記載の吸収性物品。
【請求項１１】
陰唇に当接する立体的な形状を有し、陰唇間に挟んで使用される吸収性物品であって、
着用時における前後方向の中央部が陰唇に向かって凸となり、少なくとも該前後方向の中央部において、該前後方向と直交する方向の中央部が陰唇に向かって凹となっており、
陰唇と当接する上層と、該上層と接合され且つ前記前後方向と直交する方向の中央部で分離された下層とを主体として形成され、
前記上層は、前記前後方向の側縁部が折り返されて、陰唇当接面側の面が、前記下層と接合されており、
前記下層の分離された部位は、前記吸収性物品における前記前後方向と直交する方向の中央部で、前記上層の非陰唇当接面側に位置しており、
前記吸収性物品は、不使用時には、扁平で、前記前後方向の中央部は両端部よりも幅広であり、前記上層と前記下層とはそれらの周縁で接合された形状となされており、
前記上層の陰唇当接面側の面と、前記下層の陰唇当接面側の面とが対向している吸収性物品。
【発明の詳細な説明】
【技術分野】
【０００１】
本発明は、吸収性物品、特に女性の陰唇間に挟んで使用される吸収性物品に関する。
【背景技術】
【０００２】
従来、女性の陰唇間の空間に挟んで使用される陰唇間パッド等の小型の吸収性物品が知られている。この種の吸収性物品は、その肌当接面が直接陰唇と密着して着用されるものであり、その防漏性が高められている。
【０００３】
例えば、特許文献１には、一対の吸収性パネルを備え、各パネルは近位縁部と遠位縁部と一対の対向する末端縁部とを有し、前記パネルの各々は十分な柔軟性を有していて、着用する時、少なくとも部分的に陰唇間の壁の表面の形状に従い、該表面との接触を維持することができ、また、前記パネルの近位縁部を接合する峡部を備え、着用する時、峡部は、陰唇間空間内に最も奥に配置される、女性の陰唇間に挟んで使用される吸収性物品が開示されている。特許文献１に記載の吸収性物品は、その使用前後の形態はコンパクトである。また、峡部がＶ字形を有しており、峡部で受けた体液が長手方向に移動しやすくなされている。
【０００４】
【特許文献１】特表２００１−５０７５９７号公報
【発明の開示】
【発明が解決しようとする課題】
【０００５】
特許文献１に記載の吸収性物品は、峡部のＶ字形に陥没している部分の深さが浅いため、峡部で受けた体液はすぐに溢れて、一対の吸収性パネルの表面を伝わって流れてしまうので、吸収性パネル内部の吸収力が十分に発揮されないおそれがある。また、峡部は長手方向に直線状に形成されており、陰唇間の内面形状へのフィット性に劣るため、装着安定性が良くない。また、陰唇間に挟まれて装着され、横方向から圧縮を受けた場合には、離間していた一対の吸収性パネルが閉じてしまうため、陰唇間から外れてしまう可能性がある。更に使用後には、体液が吸収された肌当接面が露出した状態にあるため、廃棄する際に、使用者の手や下着等を汚すおそれが考えられる。
【０００６】
従って、本発明の目的は、その使用前後の形態がコンパクトであり、吸収性に優れ、陰唇間に挟まれて装着された際には、横方向からの圧縮に対する回復性を有すると共に、装着安定性に優れ、その肌当接面側が露出することなく廃棄でき、使用者の手や下着等を汚すおそれがない陰唇間に挟んで使用される吸収性物品を提供することにある。
【課題を解決するための手段】
【０００７】
本発明は、扁平であり、陰唇間に挟んで使用される吸収性物品であって、着用時における前後方向の中央部は両端部よりも幅広であり、上層と下層とを主体として形成され、該上層と該下層とはそれらの周縁で接合されており、該上層は、吸収性及び伸縮性を有しており、前記下層は、前記上層よりも剛性が大きく、前記前後方向と直交する方向の中央部で分離された一対の支持片からなり、前記吸収性物品は、使用時には、前記上層における前記下層側の面及び前記下層における前記上層側の面が、陰唇に当接する立体的な形状に形成可能で、該形状が維持されるように形成されている吸収性物品を提供することにより、上記目的を達成したものである。
【０００８】
また、本発明は、陰唇に当接する立体的な形状を有し、陰唇間に挟んで使用される吸収性物品であって、着用時における前後方向の中央部が陰唇に向かって凸となり、少なくとも該前後方向の中央部において、該前後方向と直交する方向の中央部が陰唇に向かって凹となっており、陰唇と当接する上層と、該上層と接合され且つ前記前後方向と直交する方向の中央部で分離された下層とを主体として形成され、前記上層は、前記前後方向の側縁部が折り返されて、陰唇当接面側の面が、前記下層と接合されており、前記下層の分離された部位は、前記吸収性物品における前記前後方向と直交する方向の中央部で、前記上層の非陰唇当接面側に位置しており、前記吸収性物品は、不使用時には、扁平で、前記前後方向の中央部は両端部よりも幅広であり、前記上層と前記下層とはそれらの周縁で接合された形状となされており、前記上層の陰唇当接面側の面と、前記下層の陰唇当接面側の面とが対向している吸収性物品を提供することにより、上記目的を達成したものである。
【発明の効果】
【０００９】
本発明の陰唇間に挟んで使用される吸収性物品によれば、その使用前後の形態がコンパクトであり、吸収性に優れ、陰唇間に挟まれて装着された際には、横方向からの圧縮に対する回復性を有すると共に、装着安定性に優れ、その肌当接面側が露出することなく廃棄でき、使用者の手や下着等を汚すおそれがない。
【発明を実施するための最良の形態】
【００１０】
以下、本発明の吸収性物品をその好ましい実施形態に基づいて、図面を参照しながら説明する。
【００１１】
本実施形態の吸収性物品１（以下、本物品ともいう。）は経血の吸収に用いられ、図１〜図５に示すように、扁平で実質的に縦長に形成され、陰唇間に挟んで使用される。本物品１は、着用時における前後方向の中央部は両端部よりも幅広であり、上層２と下層３とを主体として形成され、該上層２と該下層３とはそれらの周縁で接合されており、該上層２は、吸収性及び伸縮性を有しており、下層３は、上層２よりも剛性が大きく、前記前後方向と直交する方向の中央部で分離された一対の支持片３１ａ，３１ｂからなる。
また、本物品１は、使用時には、上層２における下層３側の面及び下層３における上層２側の面が、陰唇に当接する立体的な形状に形成可能で、該形状が維持されるように形成されている。
【００１２】
本物品１について、更に説明すると、本物品１は、図１に示すように、縦長であり、その平面視形状は、楕円形状である。また、本物品１は、使用前の状態において、図２（ａ）に示すように、その断面が扁平な形状を有している。
本明細書において、着用時における前記前後方向を、以下、物品長手方向ともいう。また、前記前後方向と直交する方向を、以下、物品幅方向ともいう。
【００１３】
本物品１は、図２（ｃ）及び図３に示すように、その使用時には立体的な形状に形成された状態で、女性の陰唇間の空間に挟まれて使用される。本物品１は、図２（ｃ）及び図３に示すように、装着者の肌側に向かって隆起した凸形状を有し、陰唇間の空間に安定して挟まれやすい形状を有している。
【００１４】
まず、本物品１の上層２について、更に説明する。上層２は、液保持性を有している。上層２は、本物品１が立体的な形状に形成された状態において、陰唇と当接する部位であり、排泄された経血等の体液を吸収保持する。上層２は、縦長であり、その長手方向が本物品１の長手方向と一致している。上層２の平面視形状は、図１及び図２（ａ）に示すように、本物品１と略同形である。上層２と下層３とは、それらの平面視した場合の面積が実質的に同じであり、上層２は、下層３と外形状の輪郭が略揃えられて積層されている。
【００１５】
上層２は、柔軟であると共に、幅方向及び長手方向それぞれに伸縮性を有していることが好ましい。上層２がこのような伸縮性を有することにより、一対の支持片３１ａ，３１ｂを、図２（ｂ）に示すように、反り返らせ本物品１を立体的な形状に容易に変形することができ、且つ上層２が、図２（ｃ）に示すように、一対の支持片３１ａ、３１ｂ間に架け渡されて露出した状態で、本物品１が適度なクッション性を有することができる。
【００１６】
具体的には、上層２は、物品幅方向において、下層３の幅の少なくとも１．２倍の長さまで、特に１．５倍の長さまで伸びることが好ましい。また、上層２は、物品長手方向において、下層３の長さの少なくとも１．１倍の長さまで、特に１．３倍の長さまで伸びることが好ましい。
【００１７】
更に詳述すると、上層２は、物品幅方向における１０ｃＮ／１０ｍｍ幅荷重時の伸度が１０％以上、特に２０％以上であることが好ましく、また、物品長手方向における２０ｃＮ／１０ｍｍ荷重時の伸度が１０％以上、特に１５％以上であることが好ましい。
【００１８】
前述した伸度は、例えば、以下の方法で測定される。上層２を、測定される伸縮性を有する方向に４０ｍｍ以上（チャック可能な長さ）、該方向と直交する方向に１０ｍｍ切り出して、測定片を作製する。測定片を、測定される伸縮性を有する方向が引張方向となるように、引張試験機のチャックに取り付ける。チャック間距離は４０ｍｍとする。測定片を５０ｍｍ／分で引っ張り、上層２の伸縮方向が物品幅方向ならば１０ｃＮ／１０ｍｍ幅荷重時、または、物品長手方向ならば２０ｃＮ／１０ｍｍ荷重時のときの、伸びの長さからチャック間距離を引き、その値をチャック間距離で除し更に１００を乗じた値を伸度とする。
【００１９】
次に、本物品１の下層３について、更に説明する。下層３は、図１に示すように、一対の支持片３１ａ，３１ｂからなる。本物品１が立体的な形状に形成された状態において、一対の支持片３１ａ，３１ｂは、図２（ｃ）及び図３に示すように、物品幅方向の外方に凸に湾曲した一対の側面を形成している。
一対の支持片３１ａ，３１ｂは、上層２よりも剛性が高く、この剛性により、本物品１の立体的な形状が維持される。
【００２０】
一対の支持片３１ａ，３１ｂそれぞれは、縦長であり、その長手方向が本物品１の長手方向と一致している。一対の支持片３１ａ，３１ｂそれぞれは、本物品１の縦方向中心線に対して略線対称に形成されている。図１において、支持片３１ａ、３１ｂの幅方向外方の端縁は、縦長の円弧状となっており、物品長手方向中央部のカーブが、両端部よりも緩やかに形成されている。また、幅方向内方の端縁は直線状となっている。本物品１は、このような形状を有する一対の支持片３１ａ，３１ｂから下層３が形成されているため、立体的な形状に変形する際にそり返し易くなっており、所定の高さを有する立体的な形状が得られる。
【００２１】
本物品１が立体的な形状に形成された状態において、一対の支持片３１ａ，３１ｂそれぞれの円弧状を有する端縁は、図２（ｃ）に示すように、本物品１における幅方向の中央部で離間しており、上層２の非陰唇当接面側に位置している。
本明細書において、上層２の陰唇当接面側は、本物品１の使用時に、陰唇と対向する上層２の面側のことをいい、上層２の非陰唇当接面側は、陰唇当接面側とは反対側のことをいう。他の部位についても同様である。本物品１は、図１の状態において、各部位の陰唇当接面側は、外部に露出していない。
【００２２】
また、一対の支持片３１ａ，３１ｂの形状を調節して設計することにより、本物品１の立体的な形状の高さＨ（図２（ｃ）参照）を調整することができる。例えば、支持片３１ａ，３１ｂが、図１において、物品幅方向外方に凸に突出する度合いを大きくすることにより、本物品１の立体的な形状における高さをより高くでき、一方、物品幅方向外方に凸に突出する度合いを小さくすることにより、立体的な形状における高さを低くすることができる。
【００２３】
前述したような形状の一対の支持片３１ａ，３１ｂを有する本物品１は、立体的な形状に形成された状態において、図４に示すように、その使用時に受ける左右からの圧縮力が、物品長手方向全体に分散されるため、立体的な形状が押しつぶされ難くなっている。
【００２４】
次に、本物品１の接合部４ａ、４ｂについて説明する。上層２と下層３は、図１及び図２（ａ）に示すように、全周縁で接合されており、物品幅方向の外方に凸に湾曲した接合部４ａ、４ｂが形成されている。接合部４ａ、４ｂは、全体として、本物品１の幅方向外方に凸状に形成されていれば良く、不連続的に形成されていても良い。
本物品１が立体的な形状に形成された状態において、上層２は、図２（ｃ）に示すように、その長手方向の側縁部が折り返され、該側縁部の陰唇当接面側の面が、接合部４ａ、４ｂにおいて下層３と接合されている。
【００２５】
接合部４ａ、４ｂは、上層２全周縁の内側に沿って、所定の幅で形成されている。接合部４ａ、４ｂは、ヒートシール、接着剤による接着等公知の接合手段を用いて形成することができる。
【００２６】
接合部４ａ、４ｂの幅は、１〜６ｍｍ、特に２〜４ｍｍであることが好ましい。接合部４ａ、４ｂの幅が１ｍｍ以上であることにより、一対の支持片３１ａ，３１ｂそれぞれと上層２とが、使用中に外れることなく確実に接合される。一方、接合部４ａ、４ｂの幅が６ｍｍ以下であることにより、一対の支持片３１ａ，３１ｂを反り返らせて、本物品１を立体的な形状に容易に変形することができる。
【００２７】
接合部４ａと接合部４ｂとの間（未接合部分の幅）を、物品幅方向に測定した長さは、１〜７ｍｍ、２〜５ｍｍであることが、一対の支持片３１ａ，３１ｂを反り返らせてかつ立体的形状の保持の点から好ましい。
【００２８】
本物品１において、接合部４ａ、４ｂの形状は、支持片３１ａ，３１ｂの物品幅方向外方の端縁と同様に、縦長の円弧状であり、物品長手方向中央部のカーブが、両端部よりも緩やかに形成されている。前述したような形状の接合部４ａ、４ｂを有する本物品１は、図４に示すように、その使用時に受ける左右からの圧縮力が、物品長手方向全体に分散されるため、立体的な形状が押しつぶされ難くなっている。
【００２９】
更に、本物品１には、図１及び図２（ａ）に示すように、一対の支持片３１ａ，３１ｂそれぞれに、摘み部５ａ、５ｂが設けられている。摘み部５ａ、５ｂは、支持片３１ａ，３１ｂの長手方向中央部において、非陰唇当接面側に配されている。
一対の摘み部５ａ、５ｂそれぞれは、支持片３１ａ，３１ｂの幅方向内方の端縁から延出し、該端縁で物品幅方向外方に折り返されて形成されており、折り返されている部分の先端は自由端をなしている。
【００３０】
前述した摘み部５ａ、５ｂは、扁平な状態の本物品１を、立体的な形状に変形する際に摘みとして用いられる。具体的には、図２（ａ）〜（ｃ）に示すように、一対の摘み部５ａ、５ｂそれぞれを摘んで、一対の支持片３１ａ，３１ｂそれぞれが、容易にそり返される。
【００３１】
また、本物品１において、一方の摘み部５ａの自由端近傍には、図１及び図２に示すように、他方の摘み部５ｂと脱着自在に接着できる接着部５１ａが設けられている。同様に、他方の摘み部５ｂの自由端近傍にも、一方の摘み部５ａと脱着自在に接着できる接着部５１ｂが設けられている。
接着部５１ａ，５１ｂは、図２（ａ）に示すように、摘み部５ａ，５ｂの下層３と対向する面に設けられている。
【００３２】
一対の接着部５１ａ、５１ｂそれぞれは、縦長であり、その長手方向が本物品１の長手方向と一致している。一対の接着部５１ａ、５１ｂそれぞれは、粘着剤を摘み部５ａ，５ｂに塗布して形成しても良いし、または面ファスナを摘み部５ａ，５ｂに接合して形成しても良い。
【００３３】
粘着剤を摘み部５ａ，５ｂに塗布して形成した場合には、接着部５１ａ、５１ｂは、本物品１の使用前には、剥離紙が載せられて保護されることが好ましい。または、摘み部５ａ，５ｂが不織布から形成されている場合には、面ファスナのオス材は、脱着自在に不織布に接着できるため、面ファスナのオス材を摘み部５ａ，５ｂに接合して、接着部５１ａ、５１ｂを形成することが好ましい。
【００３４】
本物品１の使用時における立体的な形状の高さＨは、一対の摘み部５ａ、５ｂそれぞれの寸法、又は一対の接着部５１ａ、５１ｂそれぞれの物品幅方向における位置を調節して設計することにより調整できる。
【００３５】
次に、前述した本物品１の扁平な形状から、使用時の立体的な形状を形成する方法の一例について以下に説明する。
本物品１は、その使用前には、図２（ａ）に示すように、扁平な状態にある。まず、一対の摘み部５ａ、５ｂそれぞれを摘み、本物品１を、図２（ｂ）に示すように、一対の支持片３１ａ，３１ｂそれぞれの陰唇当接面側同士が対向するように折る。
次に、一対の摘み部５ａ、５ｂそれぞれを物品幅方向の外方に向って引っ張って、一対の支持片３１ａ，３１ｂそれぞれを、その上層２と対向している面を物品幅方向の外方に向って露出させるようにそり返すと共に、上層２の下層３と対向していた面を露出させ、図２（ｃ）及び図３に示すように、本物品１を立体的な形状にする。
【００３６】
次に、立体的な形状に形成された状態で、一対の摘み部５ａ，５ｂ同士を、図２（ｃ）及び図５（ｂ）に示すように、接着部５１ａ又は接着部５１ｂの何れか一方によって脱着自在に接着し、非陰唇当接面側における長手方向の両側部間に、一対の摘み部５ａ，５ｂを掛渡す。脱着自在に接着された一対の摘み部５ａ，５ｂから保形部５２を形成する。
【００３７】
本物品１の立体的な形状は、一対の支持片３１ａ，３１ｂが有する剛性、上層２と一対の支持片３１ａ，３１ｂとが前述した接合部４ａ，４ｂにより接合されていること、及び保形部５２により維持されている。
また、本物品１の立体的な形状は、上層２が有する伸縮性及び本物品１が有する横方向圧縮弾性（詳しくは後述する）によって、適度なクッション性を有している。
【００３８】
保形部５２を有する本物品１は、女性の陰唇間に挟まれて装着された状態において、装着者の身体の動きによって、図４に示すように、左右から圧縮力を受けて変形した際にも、保形部５２の弾性により変形が回復するため、物品幅方向の弾性が高められている。
【００３９】
また、本物品１の使用後には、前述したのと逆の順番で操作して、図２（ａ）に示すように、使用前と同様に扁平な形状に戻すことができる。従って、使用中に、体液を吸収した陰唇当接面側が外部に露出することなく廃棄でき、使用者の手や下着等を汚すおそれがない。また、その使用前後の形態はコンパクトであり、使用前には携帯性に優れ、使用後においては、廃棄性に優れている。
【００４０】
前述したように立体的な形状に形成された本物品１は、図２（ｃ）及び図３に示すように、実質的に縦長で、陰唇に当接する立体的な形状を有し、陰唇間に挟んで使用される。本物品１は、物品長手方向の中央部が陰唇に向かって凸となり、少なくとも物品長手方向の中央部において、物品幅方向の中央部が陰唇に向かって凹となっており、陰唇と当接する上層２と、該上層２と接合され且つ幅方向中央部で分離された下層３とを主体として形成され、上層２は、その長手方向の側縁部が折り返されて、陰唇当接面側の面が、下層３と接合されており、該下層３の分離された部位は、本物品１における幅方向の中央部で、上層２の非陰唇当接面側に位置している。
また、本物品１は、不使用時には、図１及び図２（ａ）に示すように、扁平で、物品長手方向の中央部は両端部よりも幅広であり、上層２と下層３とはそれらの周縁で接合された形状となされており、上層２の陰唇当接面側の面と、下層３の陰唇当接面側の面とが対向している。本物品１の不使用時には、使用前と使用後が含まれる。
【００４１】
立体的な形状に形成された本物品１について、更に説明する。本物品１は、図３に示すように、装着者の肌側に向かって隆起した凸形状を有し、その頂部は、物品長手方向において、略中央に位置している。このような形状を有する本物品１は、女性の陰唇の形状にフィットし、密着して装着される。
【００４２】
本物品１の陰唇当接面側の物品幅方向中央部には、一対の支持片３１ａ，３１ｂそれぞれの円弧状の端縁の形状に沿って、一対の稜線が物品長手方向の前後端部間に亘り形成されている。陥没部２１は、一対の前記稜線の間に位置している。
詳述すると、一対の支持片３１ａ，３１ｂそれぞれの円弧状の端縁は、図５（ａ）に示すように、少なくとも物品長手方向の中央部において離間しており、離間した状態が物品長手方向の前後に向かって延びている。一対の支持片３１ａ，３１ｂが離間している幅を物品幅方向に測定した長さは、物品長手方向の前後端部に向かって漸時減少している。
【００４３】
上層２は、図５（ａ）に示すように、物品長手方向の前後端部間に亘り配されており、分離した一対の支持片３１ａ，３１ｂにおける陰唇当接面側の面上に亘って、上層２が掛渡されている。本物品１の装着時には、上層２が、陰唇間の奥へ位置し、排泄された体液を受けて吸収保持する。
【００４４】
上層２における幅方向の中央部は、図２（ｃ）及び図３に示すように、大きく陥没しており、物品長手方向の前後端部に延びる陥没部２１を形成している。陥没部２１は、離間する一対の支持片３１ａ，３１ｂの間で、上層２が非陰唇当接面側に向かって落ち込んでいる部位である。
陥没部２１の底部を、本物品１の側面から透視した形状は、装着者の肌側に向かって凸となっている。
【００４５】
本物品１の装着時に、排泄された体液は、まず、陥没部２１に受け入れられ、物品長手方向に延びる該陥没部２１内を伝って、物品長手方向の前後端部の方向へ移動し易くなっている。次に、陥没部２１内の体液は、陥没部２１の部分から、物品幅方向へ向かって、上層２の内部へ吸収されるため、上層２の有する液吸収保持能力が余すことなく発揮される。
【００４６】
従って、陥没部２１の大きさは、一回当たりの排泄された体液があふれずに、受け入れられる大きさを有していることが好ましい。具体的には、陥没部２１の深さＤ（図２（ｃ）参照）は、物品長手方向の中央部において、２〜１０ｍｍ、特に３〜７ｍｍであることが、陥没部２１の十分な大きさを確保する上で好ましい。また、陥没部２１の幅としての一対の支持片３１ａ，３１ｂの離間する長さを、物品幅方向に測定した長さＷ（図２（ｃ）参照）は、物品長手方向の中央部において、５〜２０ｍｍ、特に８〜１５ｍｍであることが、同様の理由から好ましい。
【００４７】
陥没部２１の深さＤ又は幅Ｗは、一対の支持片３１ａ，３１ｂの形状により設計することができる。例えば、支持片３１ａ，３１ｂの物品幅方向外方に凸に突出する度合いを大きくすることにより、深さＤ及び幅Ｗを大きくすることができる。
また、深さＤ又は長さＷは、一対の摘み部５ａ，５ｂ同士を脱着自在に接着する位置によって変化しうるが、一対の摘み部５ａ，５ｂ同士を接着する位置は、深さＤ又は長さＷが前記範囲内になるように調節することが好ましい。
【００４８】
前述したように、大きな陥没部２１が形成される理由は、本物品１が、その不使用時の形状として、物品長手方向の中央部が両端部よりも幅広であり、上層２と下層３とはそれらの周縁で接合された形状となされていることに起因している。
【００４９】
本物品１は、女性の陰唇間に挟まれて装着された状態において、装着者の身体の動きによって、図４に示すように、左右から圧縮力を受けて変形する場合がある。仮に、本物品１が圧縮を受けて変形した状態のままであると、本物品１の陰唇当接面と陰唇の壁面との間の密着性が低下し、液漏れが生じると共に吸収性が低下する可能性がある。また場合によっては、本物品１が陰唇間から外れてしまうおそれもある。
【００５０】
従って、本物品１は、左右からの圧縮力による変形に対して、該圧縮力が取り除かれた際には、もとの立体的な形状に復元する回復性を有していることが好ましい。
具体的には、本物品１は、立体的な形状に形成されている状態において、物品幅方向の圧縮弾性（以下、横方向圧縮弾性ともいう。）が、３〜１５０ｃＮ／ｃｍ、特に７〜１００ｃＮ／ｃｍであることが好ましく、１０〜５０ｃＮ／ｃｍであることが一層好ましい。
【００５１】
本物品１の横方向圧縮弾性が、３ｃＮ／ｃｍ以上であることにより、本物品１が陰唇間に挟まれて装着された状態において、物品幅方向に圧縮力を受けても、該圧縮力が取り除かれた際には、押しつぶされることなく変形が回復して、その立体的な形状が維持される。一方、本物品１の横方向圧縮弾性が、１５０ｃＮ／ｃｍ以下であることにより、本物品１が陰唇間に挟まれて装着された状態において、回復可能な変形を許容すると共に、適度な圧力で陰唇の壁面を押し返すことで、装着安定性及び良好な装着感が得られる。
【００５２】
本物品１の横方向圧縮弾性は、例えば以下のように測定される。測定は、引張圧縮試験機テンシロンＲＴＡ−１００（ＯＲＩＥＮＴＥＣ製）の圧縮モードを用いる。まず、本物品１を、図３に示すように、立体的な形状に形成する。本物品１を、図６に示すように、試験機における上下２枚の平行プレート７，７間にセットする。この際、本物品１の各支持片３１ａ、３１ｂが、平行プレート７，７間に挟まれるようにして、プレート７の中央に位置するようにセットする。測定においては、上側のプレート７が、図６中の矢印に示すように下方に移動し、本物品１が上下のプレート７，７間で圧縮されることにより行われる。測定において、上側のプレート７は、５０ｍｍ／分の圧縮スピードで本物品１を圧縮する。本物品１が、物品幅方向に圧縮力を受けて変形し始めてから、完全につぶれる前までの間であって、上側のプレート７が１０ｍｍ降下するまでの間における圧縮弾性値の最大値を本物品１の横方向圧縮弾性とする。
【００５３】
本物品１の寸法は、長さが２０〜８０ｍｍであり、幅が１５〜５０ｍｍであることが、女性の陰唇間に挟んで使用される上で好ましい。本物品１の長さ及び幅は、物品幅方向及び物品長手方向において一定ではないので、前記長さ及び前記幅は、本物品１の物品幅方向及び物品長手方向それぞれにおける最大の値である。
【００５４】
また、本物品１の使用時における立体的な形状の高さＨ（図２（ｃ）参照）は、５〜２５ｍｍ、特に５〜２０ｍｍであることが、同様の理由から好ましい。ここで、高さＨは、図２（ｃ）に示すように、立体的な形状にある本物品１を平らな板の上に載せ、一対の支持片３１ａ、３１ｂの高さを、前記板の面に対して垂直な方向に測定した長さである。
【００５５】
前述した本物品１を装着する際には、保形部５２の前後の開口部に指を挿入し、本物品１を支持することが好ましい。本物品１は、このように指で支持された状態で、女性の陰唇間の空間に挟みこまれ、その陰唇当接面が該陰唇と好ましく密着して装着される。また、使用後には、保形部５２を摘んで、本物品１を陰唇間から取り外すことが、手を体液により汚さない上で好ましい。
【００５６】
本物品１は、比較的少量の体液であれば本物品１のみで吸収保持することができる。一方、排泄される体液の量が多い場合、体液の吸収性能をより高める観点から、図７及び図８に示すように、立体的な形状となされた状態で、下着の内側に装着固定された生理用ナプキン８と併用されることが好ましい。
【００５７】
本物品１は、立体的な形状に形成された状態で、図７及び図８に示すように、物品長手方向の両側縁から延出する一対のウイング部としての一対の摘み部５ａ，５ｂを有しており、一対の摘み部５ａ，５ｂそれぞれの非肌当接面側に設けられた接着部５１ａ，５１ｂにより、生理用ナプキン８の肌当接面側の面と脱着自在に接着される。
このように、本物品１を生理用ナプキン８と併用する際には、一対の摘み部５ａ，５ｂは、生理用ナプキン８との接合手段である一対のウイング部として用いられることが好ましい。
【００５８】
この場合、体液を吸収した本物品１を交換する際に、生理用ナプキン８が更に体液を吸収保持することが可能であれば、本物品１のみを交換し、該生理用ナプキン８は交換せずに、そのまま継続して使用することが好ましい。
【００５９】
また、本物品１を生理用ナプキン８と併用する場合には、一対の支持片３１ａ，３１ｂを伝って落ちてきた体液を、生理用ナプキン８に効率よく吸収させる観点から、一対の摘み部５ａ，５ｂは、液透過性を有していることが好ましい。
【００６０】
次に、本物品１を構成する各形成材料について説明する。上層２の形成材料としては、液吸収保持性及び伸縮性を有するシートが好ましい。このような形成材料としては、例えば本出願人の先の出願に係る特開２００２−１８７２２８号公報の明細書に記載の不織布を、親水処理するか又は親水性繊維を用いて該不織布を形成したものが好ましい。前記不織布の坪量は、１０〜２００ｇ／ｍ2、特に５０〜１００ｇ／ｍ2であることが、十分な液吸収保持性を得る上で好ましい。この不織布は少なくとも２層構造を有し、一方の層にコイル状の捲縮が発現した状態の潜在捲縮性繊維が含まれているものである。コイル状の捲縮が発現した繊維を含んでいることに起因してこの不織布は伸縮性を有している。
【００６１】
下層３をなす一対の支持片３１ａ，３１ｂの形成材料としては、所定の剛性を有すると共に、前述した横方向弾性を発現するような弾性を有していることが好ましい。例えば、厚手の不織布、芯地、発泡ウレタン、弾性プラスチック、紙等を用いることができ、特に、エアスルー法／エアレイド法による厚手の不織布、芯地、発泡ウレタンが好ましい。例えば、不織布を複数枚積層し、ヒートシールによる接合したものであっても良い。また、支持片３１ａ，３１ｂは、吸収性を有していることが、本物品１の液保持性を高める上で好ましい。
【００６２】
摘み部５ａ，５ｂの形成材料としては、従来の吸収性物品において用いられている各種材料を用いることができるが、特にスパンボンド不織布、ラミネート不織布が好ましい。保形部５２を形成した際に、所定の弾性を発現させる観点から、摘み部５ａ，５ｂの坪量は、１０〜１００ｇ／ｍ2、特に２０〜５０ｇ／ｍ2であることが好ましい。
【００６３】
また、接着部５１ａ，５１ｂが、接着剤を摘み部５ａ，５ｂに塗布して形成される場合には、接着剤が、摘み部５ａ，５ｂに対する脱着自在の接着性を有する観点から、接着剤の一部が不織布の一部に入り込んで接着剤が他方の面に移らなくされた形態、接着剤の厚みが薄く剥離が容易にできるようにされた形態等が好ましい。接着剤は粘着剤であっても良い。また、接着剤の代わりに不織布表面に絡みつく、マジックテープ（登録商標）のオス材で形成しても良い。
【００６４】
次に前述した吸収性物品の変形例を、図９〜図１１を参照しながら説明する。変形例について、特に説明しない点については、前述した実施形態に関して詳述した説明が適宜適用される。また、図９〜図１１において、図１〜８と同じ部材に同じ符号を付してある。
【００６５】
図９に示す吸収性物品の変形例において、上層２は、物品幅方向の中央部のみに伸縮性を有する伸縮部２２を有しており、物品幅方向の両側（該中央部の除いた領域）には伸縮性を有さない液吸収保持性のみを有する吸収部２３を有している。上層２は、伸縮部２２及び吸収部２３を、公知の接合方法を用いて接合し形成することができる。
このように、上層２を伸縮部２２及び吸収部２３から構成することで、それぞれを別な部材から形成することにより、最適な形成材料を選択することができる。その結果、操作性及び液吸収保持性の更なる向上を図ることができる。
【００６６】
伸縮部２２の形成材料としては、伸縮性生地、ウレタンフィルム、伸縮性不織布、ネット等を用いることができ、特に、伸縮性生地、伸縮性不織布が好ましい。例えば、従来の伸縮性を有するサニタリーショーツを形成する生地でも良い。また、前述した実施形態における下層の形成材料を用いても良い。
【００６７】
また、吸収部２３の形成材料としては、レーヨンやコットンのスパンレース不織布や親水化処理した不織布、また吸収性発泡ウレタンやパルプと不織布の一体物等が好ましく用いられる。
【００６８】
図１０に示す吸収性物品の変形例において、一対の支持片３１ａ、３１ｂそれぞれは、台形形状を有している。一対の支持片３１ａ、３１ｂそれぞれは、上底（長さが短い方の底辺）が物品幅方向外方に位置しており、下底（長さ長い方の底辺）が物品幅方向内方に位置している。支持片３１ａ，３１ｂの物品幅方向外方の端縁は、台形形状の両斜辺及び上底から形成されている。
【００６９】
接合部４ａ、４ｂは、物品幅方向外方の端縁の内側に所定の幅で形成されている。接合部４ａ、４ｂの長手方向中央部は、直線状となっている。従って、本変形例においても、その使用時に左右から受ける圧縮力が、長手方向の全体に分散されるため、立体的な形状が押しつぶされ難くなっている。
尚、図１０において、一対の摘み部の記載は省略している。
【００７０】
図１１に示す吸収性物品の変形例において、一対の支持片３１ａ、３１ｂそれぞれは、物品長手方向の中央部の幅広の部分が、物品長手方向の一方の端部寄りに位置している。図１１に示す吸収性物品１は、その立体的な形状に形成された状態において、凸な形状の頂部の位置が、長手方向において、一方の端部側に偏っている。尚、図１１において、一対の摘み部の記載は省略している。
【００７１】
本発明の吸収性物品は、前述した実施形態に制限されることなく、本発明の趣旨を逸脱しない限り適宜変更が可能である。
例えば、本発明の吸収性物品は、図１に示す実施形態において、摘み部５が、支持片３１の一部が延長して形成されていたが、別な部材から形成されていても良い。
【００７２】
上述した一の実施形態における一の実施形態のみが有する要件は、それぞれ他の実施形態に適宜適用することができ、また、各実施形態における要件は、適宜、実施形態間で相互に置換可能である。
【図面の簡単な説明】
【００７３】
【図１】図１は、本発明における吸収性物品の一実施形態を示す平面図である。
【図２】図２（ａ）〜（ｃ）は、図１のＸ−Ｘ線断面図を示しており、（ａ）は使用前の状態であり、（ｂ）は吸収性物品を立体的な形状に形成する途中の状態であり、（ｃ）は吸収性物品を立体的な形状に形成した状態である。
【図３】図３は、図２（ｃ）の斜視図である。
【図４】図４は、図１に示す吸収性物品が装着された場合に、横方向両側から圧縮力を受けた状態を示す模式図である。
【図５】図５（ａ）及び（ｂ）は、図２（ｃ）の平面図であり、（ａ）は陰唇当接面側であり、（ｃ）は非陰唇当接面側である。
【図６】図６は、図３の吸収性物品の横方向圧縮弾性を測定する様子を示す模式図である。
【図７】図７は、図１の吸収性物品を生理用ナプキンと併用している様子を示す模式図である。
【図８】図８は、図７のＹ−Ｙ線断面図を示している。
【図９】図９は、図１に示す吸収性物品の変形例を示す平面図である
【図１０】図１０は、図１に示す吸収性物品の他の変形例を示す平面図である。
【図１１】図１１は、図１に示す吸収性物品の更に他の変形例を示す平面図である。
【符号の説明】
【００７４】
１    吸収性物品
２    上層
２１  陥没部
３    下層
３１ａ、３１ｂ  支持片
４ａ、４ｂ    接合部
５ａ、５ｂ    摘み部（ウイング部）
５１ａ、５１ｂ  接着部
７    プレート
８    生理用ナプキン
【図１】
2008049003.tif 000003
【図２】
2008049003.tif 000004
【図３】
2008049003.tif 000005
【図４】
2008049003.tif 000006
【図５】
2008049003.tif 000007
【図６】
2008049003.tif 000008
【図７】
2008049003.tif 000009
【図８】
2008049003.tif 000010
【図９】
2008049003.tif 000011
【図１０】
2008049003.tif 000012
【図１１】
2008049003.tif 000013